(57)【要約】      （修正有）【課題】高音及び低音再生用のスピーカーユニットの中継配線と、低音再生用のスピーカーユニットの構成要素との干渉（当たり）を防止することが可能なスピーカー装置などを提供する。【解決手段】高音及び低音再生用のスピーカーユニットの各中継配線は、夫々案内構造等を介して端子部と電気的に接続される。これにより、アンプ側からの電気信号が高音及び低音再生用のスピーカーユニットに入力される。案内構造は、スピーカー装置の中心軸側にて起立する壁部を備えている。よって、案内構造において各中継配線のスタイリングにばらつきが生じていたとしても、それらの中継配線はその壁部により移動が規制され、それらの中継配線は壁部の位置からスピーカー装置の中心軸側に弛んだり等するようなことがない。【選択図】図１
2005277876.tif 000002
【特許請求の範囲】
【請求項１】
スピーカーユニットと、
前記スピーカーユニットのボイスコイルから引出された配線と、
前記配線を案内する案内手段と、を有し、
前記案内手段は、前記スピーカーユニット側にて起立する壁部を備え、
前記配線は、前記壁部に対して前記スピーカーユニットと反対側において案内されていることを特徴とするスピーカー装置。
【請求項２】
他のスピーカーユニットと、
前記他のスピーカーユニットの放音側に配置されたグリルと、を有し、
前記スピーカーユニットは、前記他のスピーカーユニットと同軸上に、かつ、前記他のスピーカーユニットの上方位置に配置されていると共に、前記スピーカーユニットの放音側と前記他のスピーカーユニットの放音側とが対向した状態で、前記スピーカーユニットは、前記グリルに取り付けられていることを特徴とする請求項１に記載のスピーカー装置。
【請求項３】
前記案内手段は、前記スピーカーユニットの下側に配置された前記他のスピーカーユニットのフレームに形成されていることを特徴とする請求項２に記載のスピーカー装置。
【請求項４】
前記フレームは、前記グリルの周縁部と係合するフランジ部を有し、
前記フランジ部には、前記ボイルコイル側から引出された前記配線を挿通する貫通穴と、前記貫通穴に通じ、前記貫通穴を挿通した前記配線を前記案内手段側へ案内する窪み部と、前記窪み部及び前記案内手段に通じ、前記窪み部により案内された前記配線を前記案内手段に案内する開口とが形成されていることを特徴とする請求項３に記載のスピーカー装置。
【請求項５】
前記案内手段と、前記フレームの外周壁の上端部との間に端子部を有し、
前記案内手段は、前記フランジ部の内周縁部近傍から前記端子部にかけて形成されていることを特徴とする請求項４に記載のスピーカー装置。
【請求項６】
前記配線は、前記フレームの外周壁と前記壁部との間に案内されていることを特徴とする請求項３に記載のスピーカー装置。
【請求項７】
前記フレームは、樹脂材料からなることを特徴とする請求項３乃至６のいずれか一項に記載のスピーカー装置。
【請求項８】
前記案内手段は、前記案内手段の上部から前記案内手段の下部にかけて形成されたスリット部を有し、前記スリット部と前記壁部との間に前記配線を配置する空間が形成されていることを特徴とする請求項１乃至７のいずれか一項に記載のスピーカー装置。
【発明の詳細な説明】
【技術分野】
【０００１】
本発明は、同軸型スピーカーに関する。
【背景技術】
【０００２】
従来より、低域から高域に亘ってフラットな音再生を実現できるスピーカーとして、例えば、高音再生用スピーカーユニット（いわゆる、ツィーター）と、低音再生用スピーカーユニット（いわゆる、ウーファー）とを有する同軸型スピーカーが知られている。そのような同軸型スピーカーの一例では、ツィーターとウーファーが同軸上に配置されると共に、ツィーターはウーファーの放音側となる上方位置に配置される。また、かかる同軸型スピーカーでは、ウーファーの磁気回路を覆うウーファーフレームの外周壁近傍に端子部が設けられている。そして、ウーファーのボイスコイルと接続された錦糸線及びその一方に接続された中継配線、ツィーターのボイスコイルから引出された中継配線、並びにアンプ側から引出された配線はそれぞれ端子部に接続される。このため、ツィーター及びウーファーへは、その端子部を介してアンプ側からの電気信号が入力されるようになっている。
【０００３】
なお、この種のスピーカーとして、例えば、低音用スピーカーの前面側に、該低音用スピーカーのフレーム周縁部から差し渡すように設けたブリッジ型の支持体で支持させて高音用スピーカーを配置したコアキシャルスピーカー（例えば、特許文献１を参照）や、第１のスピーカーの前方にこれよりも小径の第２のスピーカーを指向可変可能に配置した同軸型スピーカーが知られている（例えば、特許文献２を参照）。
【０００４】
上記のような同軸型スピーカーにおいては、ツィーター及びウーファーの各中継配線の案内方法に起因して、それらの中継配線が同軸型スピーカー側へ弛む或いはふくらむことがある。これにより、同軸型スピーカーの駆動時に、その弛むなどした中継配線がウーファーの構成要素、例えば錦糸線や振動板などと干渉（当たり）してしまうという問題があった。そのため、かかる不具合を回避するべく、そのスピーカー製作時に、そのような中継配線の干渉を防止するための処理などを施す必要があった。
【０００５】
【特許文献１】特開平１０−３４１４９１号公報
【特許文献２】特開平１０−３０８９９３号公報
【発明の開示】
【発明が解決しようとする課題】
【０００６】
本発明が解決しようとする課題としては、上記のようなものが例として挙げられる。本発明は、スピーカー駆動時に、高音再生用のスピーカーユニット等の中継配線と、低音再生用のスピーカーユニットの構成要素との干渉（当たり）を防止することが可能なスピーカー装置を提供することを課題とする。
【課題を解決するための手段】
【０００７】
請求項１に記載の発明は、スピーカー装置であって、スピーカーユニットと、前記スピーカーユニットのボイスコイルから引出された配線と、前記配線を案内する案内手段と、を備え、前記案内手段は、前記スピーカーユニット側にて起立する壁部を備え、前記配線は、前記壁部に対して前記スピーカーユニットと反対側において案内されていることを特徴とする。
【発明を実施するための最良の形態】
【０００８】
本発明の１つの実施形態では、スピーカー装置は、スピーカーユニットと、前記スピーカーユニットのボイスコイルから引出された配線と、前記配線を案内する案内手段と、を備え、前記案内手段は、前記スピーカーユニット側にて起立する壁部を備え、前記配線は、前記壁部に対して前記スピーカーユニットと反対側において案内されている。
【０００９】
上記のスピーカー装置は、スピーカーユニット、例えば、高音再生用のスピーカーユニットを備えている。なお、そのスピーカーユニットは、低音再生用のスピーカーユニットでもよい。高音再生用のスピーカーユニットのボイスコイルから引出された配線は、案内手段によってアンプ側と電気的に接続された端子部側へと案内され、その端子部と電気的に接続される。この案内手段は、高音再生用のスピーカーユニット側にて起立する壁部を備え、配線は壁部に対してスピーカーユニットと反対側において案内されている。したがって、案内手段による配線のスタイリングにバラツキが生じていたとしても、配線はその壁部によりスピーカーユニット側への移動が規制され、配線は壁部の位置からスピーカー装置の中心軸側に弛んだり、或いはふくらんだり等するようなことはない。よって、スピーカー装置の駆動時に、配線と、スピーカー装置の構成要素との干渉（当たり）を効果的に防止できる。よって、スピーカー装置の製作時に、案内手段における配線のスタイリングなどの作業を省くことができると共に、安定的に且つ容易にその配線の処理作業を行うことができる。
【００１０】
上記のスピーカー装置の一態様では、他のスピーカーユニットと、前記他のスピーカーユニットの放音側に配置されたグリルと、を有し、前記スピーカーユニットは、前記他のスピーカーユニットと同軸上に、かつ、前記他のスピーカーユニットの上方位置に配置されていると共に、前記スピーカーユニットの放音側と前記他のスピーカーユニットの放音側とが対向した状態で、前記スピーカーユニットは、前記グリルに取り付けられている。
【００１１】
この態様によれば、他のスピーカーユニットを、例えば、低音再生用のスピーカーユニットとすることができる。そして、スピーカーユニット、例えば、高音再生用のスピーカーユニットは、低音再生用のスピーカーユニットと同軸上に、かつ、その低音再生用のスピーカーユニットの上方位置に配置される。これにより、低域から高域に亘りフラットな音再生を実現できる同軸型のスピーカー装置を構成することができる。
【００１２】
特に、かかる同軸型のスピーカー装置では、高音再生用のスピーカーユニットの放音側と低音再生用のスピーカーユニットの放音側とを対向させた状態で、高音再生用のスピーカーユニットがグリルに取り付けられる。このため、高音再生用のスピーカーユニットから放射された音波はグリル面により反射されて、その音波は低音再生用のスピーカーユニットの放音方向と同方向に放射状に放射される。
【００１３】
好適な例では、前記案内手段は、前記スピーカーユニット（例えば、高音再生用のスピーカーユニット）の下側に配置された前記他のスピーカーユニット（例えば、低音再生用のスピーカーユニット）のフレームに形成することができる。好適には、配線は、フレームの外周壁と壁部との間において案内されている。また、その案内手段は、フレームの作製と同時にそのフレームに形成することができる。これにより、フレームなどの製品コストが増加するのを防止できる。さらに、スピーカー装置の軽量化を図るためには、そのフレームは樹脂材料より作製することが好ましい。
【００１４】
上記のスピーカー装置の他の態様では、前記フレームは、前記グリルの周縁部と係合するフランジ部（鍔部）を有し、前記フランジ部には、前記ボイルコイル側から引出された前記配線を挿通する貫通穴と、前記貫通穴に通じ、前記貫通穴を挿通した前記配線を前記案内手段側へ案内する窪み部と、前記窪み部及び前記案内手段に通じ、前記窪み部により案内された前記配線を前記案内手段に案内する開口とが形成されている。
【００１５】
この態様によれば、スピーカーユニット、例えば、高音再生用のスピーカーユニットのボイスコイルから引出された配線を、貫通穴、窪み部及び開口を介して案内手段側に案内することができる。これにより、できるだけ最短距離でその配線を案内手段側へ案内することができる。
【００１６】
上記のスピーカー装置の他の態様では、前記案内手段と、前記フレームの外周壁の上端部との間に端子部を有し、前記案内手段は、前記フランジ部の内周縁部近傍から前記端子部にかけて形成されている。これにより、スピーカーユニット、例えば高音再生用のスピーカーユニットのボイスコイルから引出された配線を、案内手段等によって、アンプ側と電気的に接続された端子部側に案内することができる。よって、その配線とその端子部とを電気的に接続することができる。これにより、アンプ側からの電気信号を高音再生用のスピーカーユニットへ入力することができる。
【００１７】
上記のスピーカー装置の他の態様では、前記案内手段の上部から前記案内手段の下部にかけてスリット部を備え、前記スリット部と前記壁部との間に前記配線が配置される空間が形成される。
【００１８】
この態様によれば、案内手段はスリット部と壁部との間に空間を備えているので、その空間内に配線を配置することができる。また、案内手段はスリット部を備えているので、スピーカーユニット、例えば、高音再生用のスピーカーユニットのボイルコイル側から引出された配線を、案内手段の上部から案内手段の下部にかけて沿わせた状態で案内することができる。
【実施例】
【００１９】
以下、図面を参照して本発明の好適な実施例について説明する。本実施例は、スピーカー装置における案内構造等に関するものであり、特に、スピーカー装置の駆動時にツィーター等の中継配線とウーファーの構成要素との干渉（当たり）を防止する構造を採用する。
【００２０】
[スピーカー装置の構成]
先ず、図１に、本発明の実施例に係るスピーカー装置１００の概略構成を模式的に示す。図１は、スピーカー装置１００の中心軸を含む平面を切断したときの断面図を示す。なお、本実施例のスピーカー装置１００は車載用スピーカーとして好適に用いることができる。図２はフレーム５の側面図を示しており、図３はフレーム５の背面図を示している。図５は、スピーカー装置１００の電気回路８００の構成を模式的に示す。以下、図１乃至図３及び図５を参照して、本実施例のスピーカー装置１００の構成等について説明する。
【００２１】
スピーカー装置１００は、低音再生用のスピーカーユニット５０と、高音再生用のスピーカーユニット５１と、その他各種の部材を備えている。スピーカー装置１００は、いわゆる同軸型（コアキシャル型）の２ウェイスピーカーであり、放音側に高音再生用のスピーカーユニット５１を、背面側に低音再生用のスピーカーユニット５０を夫々同軸上に配置して構成される。また、かかるスピーカー装置１００では、図示のように、高音再生用のスピーカーユニット５１の放音側と低音再生用のスピーカーユニット５０の放音側とが対向するように、高音再生用のスピーカーユニット５１がグリル内に収容される。特に、高音再生用のスピーカーユニット５１から放射された音波は、矢印Ｂ方向に従って、低音再生用のスピーカーユニット５０の放音方向と同方向に放射状に放射される。こうして、スピーカー装置１００は、低域から高域に亘りフラットな音再生を実現できる。なお、低音再生用のスピーカーユニット５０は、低音及び中音再生が可能なスピーカーユニットであってもよい。また、高音再生用のスピーカーユニット５１は、高音及び中音再生が可能なスピーカーユニットであってもよい。
【００２２】
先ず、低音再生用のスピーカーユニット５０の構成について述べる。低音再生用のスピーカーユニット５０は、主として、振動板１、ダンパー２、ボイスコイルボビン３、ボイスコイル４、及びフレーム５を有する振動系１０と、ポールピース６、環状のマグネット７、及び環状のプレート８を有する磁気回路系８０とを備えている。
【００２３】
先ず、振動系１０の各構成要素について説明する。
【００２４】
振動板１は、いわゆるコーン形状の振動板であり、別体のエッジ部１ａと接着して接合するか、あるいはエッジ部１ａと一体的に形成されている。振動板１には、各種の用途に応じ、紙系、高分子系、金属系などの各種の材料を適用することができる。エッジ部１ａの外周縁部は、フレーム５の上端部に設けられた第１のフランジ部（鍔部）５ａ上に固着している。一方、振動板１の内周縁部は、ボイスコイルボビン３の外周壁の上端部近傍に固着している。
【００２５】
ダンパー２は、フェーノール樹脂などの熱硬化性樹脂を含侵した布製などの材料などからなり、複数の波型が同心円状に形成されてなる。ダンパー２は、ボイスコイルボビン３を支持する。ダンパー２の内周縁部は、ボイスコイルボビン３の外周壁の上端部近傍に固着している。一方、ダンパー２の外周縁部は、フレーム５の外周壁の上端部に設けられた第２のフランジ部５ｂ上に固着している。
【００２６】
ボイスコイルボビン３は、略円筒状の形状をなす。ボイスコイルボビン３の外周壁の下端部近傍には、ボイスコイル４が巻回されている。また、ボイスコイルボビン３の外周壁の下端部近傍は、環状のプレート８の内周壁と一定の間隔を隔てて対向している。一方、ボイスコイルボビン３の内周壁の下端部近傍は、ポールピース６の外周壁の上端部近傍と一定の間隔を隔てて対向している。そして、ポールピース６の外周壁の上端部近傍と、対応するプレート８の内周壁との間に空隙（磁気ギャップ３３）が形成されている。
【００２７】
ボイスコイル４は、プラス／マイナスのリード端子（図示略）を有している。プラス側のリード端子は、Ｌ（又はＲ）チャンネル信号の入力端子であり、マイナス側のリード端子はグランド（ＧＮＤ：接地）信号の入力端子である。各リード端子は、振動板１の所定位置において、各錦糸線９の一端と電気的に接続されている。また、各錦糸線９の他端は、端子部３２側と電気的に接続されている。
【００２８】
具体的には、図５に示すように、一方の錦糸線９の他端側は、第１の端子部材３２ａに電気的に接続されている。一方、他方の錦糸線９の他端側は、第３の端子部３２ｃに接続されている。また、その第３の端子部３２ｃに接続された中継配線７１は、後述の案内構造５００の壁部５ｋに沿って引き回されコイル８１の一端側に接続されている。さらに、コイル８１の他端側に接続された中継配線７１は、壁部５ｋに沿って引き回され第２の端子部３２ｂに電気的に接続されている。これにより、ボイスコイル４には、図示しないアンプ側から１チャンネル分の電気信号が入力される。
【００２９】
フレーム５には、スピーカー装置１００の様々な構成部品が固定され、スピーカー装置１００を支持する役目を担う。フレーム５は各種の材料により作製することができるが、その軽量化を図る場合には樹脂材料により作製することが好ましい。フレーム５は、第１のフランジ部５ａと、案内構造５００と、第２のフランジ部５ｂと、端子部３２と、磁気回路系８０を載置する載置部５ｃとを有する。
【００３０】
第１のフランジ部５ａは、鍔状の形状をなし、フレーム５の上端部に形成される。第１のフランジ部５ａは、環状凸部５ａａと、貫通穴５ａｂと、窪み部５ａｃと、開口５ａｄとを有し、これらの構成要素により、できるだけ最短距離で、後述する中継配線７０を案内構造５００側へ案内することができる。
【００３１】
環状凸部５ａａは、後述するグリル２００側に環状に突出してなる。環状凸部５ａａは、グリル２００の環状突起体２１ａと係合してグリル２００を支持する役目を担う。貫通穴５ａｂは、第１のフランジ部５ａの上面からその下面にかけて貫通する、略矩形状の形状をなす穴であり、案内構造５００の上端部近傍の位置に形成される。貫通穴５ａｂには、高音再生用のスピーカーユニット５１のボイスコイル１４からグリル２００の背面側に沿って引出された中継配線７０が挿入され、その中継配線７０を窪み部５ａｃ側に案内する。窪み部５ａｃは、矩形状に窪んでなり、第１のフランジ部５ａの下面側の位置に、且つ、貫通穴５ａｂと開口５ａｄとの間に形成される。窪み部５ａｃは貫通穴５ａｂに通じており、その窪み部５ａｃは、貫通穴５ａｂに挿入された中継配線７０を開口５ａｄ側へ案内する。開口５ａｄは、矩形状の形状をなし、窪み部５ａｃと、案内構造５００の上端部との間に形成される。開口５ａｄは、窪み部５ａｃ及び案内構造５００の空間５ｈに夫々通じている。開口５ａｄは、貫通穴５ａｂ及び窪み部５ａｃを介して案内された中継配線７０を案内構造５００の空間５ｈ側へ案内する機能を有する。
【００３２】
案内構造５００は、第１のフランジ部５ａを介して、高音再生用のスピーカーユニット５１のボイスコイル１４側から引出された中継配線７０を端子部３２側に案内するとともに、コイル８０の両端に接続された一対の中継配線７１を案内する機能を有する。案内構造５００の構造などは本発明の特徴をなすため、その構造や作用効果等は後に詳しく説明する。
【００３３】
第２のフランジ部５ｂは、鍔状の形状をなし、フレーム５の外周壁の上端部に形成される。第２のフランジ部５ｂにはダンパー２の外周縁部が固着されている。第２のフランジ部５ｂは、そのダンパー２を支持する。
【００３４】
端子部３２は、第１の端子部３２ａと、第２の端子部３２ｂと、第３の端子部３２ｃを有し、案内構造５００の下端部から第２のフランジ部５ｂにかけて形成される。なお、第１の端子部３２ａと、第２の端子部３２ｂと、第３の端子部３２ｃとはそれぞれ電気的に絶縁されている。第１の端子部３２ａ及び第２の端子部３２ｂには、アンプ側から引出された配線が接続される。これにより、両者の端子部にアンプ側からの入力信号が印加される。また、第１の端子部３２ａには、錦糸線９及び中継配線７０ａが接続される。第２の端子部３２ｂには、中継配線７１及び他方の中継配線７０ｂが接続される。第３の端子部３２ｃには、錦糸線９及び中継配線７１が接続される。
【００３５】
載置部５ｃは、フレーム５の下部側に形成されている。載置部５ｃの下面側の中心軸上には、円錐台形状の窪みが形成されている。載置部５ｃは、開口５ｄと、環状の形状をなす凸部５ｆと、円形状の形状をなす凹部５ｅを有する。開口５ｄは、載置部５ｃの中心軸上に形成されている。開口５ｄは、後述する固定部材４１を挿入するための開口である。凸部５ｆは、環状の形状をなし、載置部５ｃ上の周縁近傍に形成されている。凸部５ｆは、載置部５ｃの上面の傾斜のばらつきや、固定部材４１の締め付け過ぎによる載置部５ｃの変形に対して、磁気回路系８０を傾かせることなく安定した状態で固定させる機能を果たす。凹部５ｅは、載置部５ｃの下面側に形成され、その凹部５ｅには、後述する銘板４２が貼着される。
【００３６】
次に、磁気回路系８０の各構成要素について説明する。
【００３７】
磁気回路系８０は、外磁型の磁気回路として構成されている。本磁気回路は、ポールピース６と、環状のマグネット７と、環状のプレート８とを有する。
【００３８】
ポールピース６は、断面視すると略逆Ｔ字状の形状をなす。ポールピース６は、フレーム５の載置部５ｃ上に接着剤６０を介して固着している。ポールピース６は、鍔状の形状をなすヨーク６ａと、円柱状の形状をなすセンターポール６ｂとを有する。
【００３９】
ヨーク６ａは、フレーム５の載置部５ｃとマグネット７との間に配置される。ヨーク６ａ上の内周縁部近傍には、階段状の形状をなす段部６ｄが形成されている。この段部６ｄに環状のマグネット７の内周縁部の一部が当接した状態で、そのマグネット７がヨーク６ａ上の適正な位置に位置決めされている。
【００４０】
センターポール６ｂは、載置部５ｃの中心軸上に起立して設けられる。センターポール６ｂの下面側の中心軸上には円錐台形状の窪みが形成されており、その窪みの中心軸上には固定部材４１（例えば、雄ねじ）と係合する固定穴６ｃ（例えば、雌ねじ）が形成されている。固定穴６ｃには、固定部材４１が挿入され、ねじ結合などによりその固定部材４１を固定する。
【００４１】
環状のマグネット７は、ヨーク６ａの上面に重なり合うように配置されていると共に、環状のプレート８は、マグネット７の上面に重なり合うように配置されている。
【００４２】
磁気回路系８０では、マグネット７、プレート８及びポールピース６により磁気回路を構成し、プレート８の内周壁とセンターポール６ｂの外周壁との間に形成される磁気ギャップ３３にマグネット７の磁束を集中させている。
【００４３】
次に、高音再生用のスピーカーユニット５１について説明する。高音再生用のスピーカーユニット５１は、主として、振動板１１、ボイスコイルボビン１３、ボイスコイル１４、及びフレーム１５を有する振動系３０と、ポールピース１６、環状のマグネット１７、及び環状のプレート１８を有する磁気回路系３１とを備えている。以下では、説明の便宜上、矢印Ａ方向から観察した順に高音再生用のスピーカーユニット５１の構成について説明する。
【００４４】
先ず、振動系３０の各構成要素について説明する。
【００４５】
振動板１１は、いわゆるドーム形状の振動板であり、その外周に振動板１１と別に構成されるエッジ部１１ａが取り付けられている。振動板１１とエッジ部１１ａは一体的に形成されているようにしてもよい。振動板１１は、上記振動板１と同様に、各種の用途に応じ、紙系、高分子系、金属系などの各種の材料を適用することができる。エッジ部１１ａの外周縁部は、フレーム１５上に固定されている。
【００４６】
フレーム１５は、例えば、樹脂材料からなり、略環状の形状をなす。フレーム１５は、エッジ部１１ａとプレート１８との間に配置され、振動板１１を支持する。
【００４７】
ボイスコイルボビン１３は、略円筒状の形状をなす。ボイスコイルボビン１３の外周壁の上端部には、ボイスコイル１４が巻回されている。ボイスコイルボビン１３の外周壁の上端部は、環状のプレート１８の内周壁と一定の間隔を隔てて対向している。一方、ボイスコイルボビン１３の内周壁の上端部は、ポールピース１６の外周壁の上端部と一定の間隔を隔てて対向している。そして、ポールピース１６の外周壁と、プレート１８の内周壁との間に空隙（磁気ギャップ３４）が形成されている。
【００４８】
ボイスコイル１４は、プラス／マイナスの中継配線７０の一端側に夫々接続されている。プラス側の中継配線７０は、Ｌ（又はＲ）チャンネル信号の入力配線であり、マイナス側の中継配線７０はグランド（ＧＮＤ：接地）信号の入力配線である。ボイスコイル１４から引出された各中継配線７０は、端子部３２に電気的に接続されている。
【００４９】
具体的には、図１及び図５を参照して理解されるように、ボイルコイル１４に接続された一方の中継配線７０ａは、グリル２００の背面側、及び案内構造５００の壁部５ｋ等に沿って引き回され、第１の端子部３２ａに電気的に接続されている。一方、ボイスコイル１４に接続された他方の中継配線７０ｂは、グリル２００の背面側に沿って引き回され、コンデンサ８２の一端側に接続されている。さらに、コンデンサ８２の他端側に接続された他方の中継配線７０ｂは、案内構造５００の壁部５ｋ等に沿って引き回され、第２の端子部３２ｂに電気的に接続されている。これにより、ボイスコイル１４には、図示しないアンプ側から１チャンネル分の電気信号が入力される。
【００５０】
次に、磁気回路系３１の各構成要素について説明する。
【００５１】
磁気回路系３１は、外磁型の磁気回路系として構成されている。本磁気回路は、ポールピース１６と、環状のマグネット１７と、環状のプレート１８とを有する。
【００５２】
ポールピース１６は、断面視すると略逆Ｔ字状の形状をなす。ポールピース１６は、鍔状の形状をなすヨーク１６ａと、円柱状の形状をなすセンターポール１６ｂとを有する。
【００５３】
ヨーク１６ａは、グリル２００の第１のカバー２１とマグネット１７との間に配置される。ヨーク６ａ上の内周縁部近傍には、階段状の形状をなす段部１６ｄが形成されている。
【００５４】
環状のマグネット１７は、ヨーク１６ａの上面に重なり合うように配置されている。環状のマグネット１７の内周壁の一部は、段部１６ｄの外周壁に当接している。これにより、マグネット１７は、ヨーク１６ａ上の適正な位置に位置決めされている。環状のプレート１８は、マグネット１７の上面に重なり合うように配置されている。
【００５５】
磁気回路系３１では、マグネット１７、プレート１８及びポールピース１６により磁気回路を構成し、プレート１８の内周壁とポールピース１６の外周壁との間に形成される磁気ギャップ３４にマグネット１７の磁束を集中させている。
【００５６】
以上の構造を有する高音再生用のスピーカーユニット５１は、図示のように、その放音側が低音再生用のスピーカーユニット５０の放音側と対向するようにグリル２００内に収容され固定される。具体的には、プレート１８に形成された複数の固定穴と、固定部材とを係合させることにより、高音再生用のスピーカーユニット５１は、そのグリル２００内で固定される。
【００５７】
スピーカー装置１００のその他各種の部材としては、固定部材４１、グリル２００、銘板４２、コイル８１、及びコンデンサ８２が挙げられる。
【００５８】
固定部材４１としては、例えば、雄ねじやボルトなどの部材が好適である。固定部材４１の先端部側には雄ねじが形成されている。固定部材４１は、第１部材２１の各固定穴２１ｂ、第２部材２２の固定穴２２ｂ、及びポールピース６の固定穴６ｃなどと係合する。これにより、第１部材２１と第２部材２２と第３部材２３とを結合すると共に、磁気回路系８０をフレーム５の載置部５ｃに固定する。
【００５９】
グリル２００は、各種の材料により作製することができるが、その軽量化を図る場合には樹脂材料により作製することが好ましい。グリル２００は、高音再生用のスピーカーユニット５１を収容していると共に、低音再生用のスピーカーユニット５０の放音側を覆っている。このため、グリル２００は、主として、低音再生用のスピーカーユニット５０、及び高音再生用のスピーカーユニット５１を保護する機能などを有する。また、グリル２００の上面側には、図示しないストライプ状の間隙が断続的に形成されている。このため、低音再生用のスピーカーユニット５０は、その間隙を通じて放音側に音波を放射する。
【００６０】
グリル２００は、第１部材２１と、第２部材２２と、第３部材２３とを有している。
【００６１】
第１部材２１の下面側の外周縁部近傍には、断続的に環状の形状をなし、フレーム５の第１のフランジ部５ａ側に突出する環状突起体２１ａが形成されている。環状突起体２１ａは、環状凸部５ａａに係合する。したがって、環状突起体２１ａと環状凸部５ａａとを係合させつつ、第１部材２１の外周縁部と、フレーム５の外周縁部とを係合させることにより、グリル２００をフレーム５に着脱自在に取り付けることができる。あるいは第１部材２１とフレーム５とを所定のクリアランスを持って取り付けるために、環状突起体２１ａから下側に突出するガイドピン（図示せず）をフレーム５の外周部に形成した穴部（図示せず）に係合するようにしてもよい。また、第１部材２１の下面側には、固定部材４１と係合する、複数の固定穴２１ｂが形成されている。各固定穴２１ｂは、固定部材４１と係合して、その固定部材４１を固定する。
【００６２】
第２部材２２は、断面視すると略杯状の形状をなす。第２部材２２は、グリル２００の中央位置に、且つ、第１部材２１と第３部材２３との間に配置される。第２部材２２は、環状突起体２２ａと、固定穴２２ｂと、複数の開口２２ｃと、複数のスリット２２ｄとを有している。環状突起体２２ａは、環状の形状をなし、エッジ部１１ａ側に突出する突起体であり、エッジ部１１ａを支持する。固定穴２２ｂは、固定部材４１と係合してその固定部材４１を固定する。各開口２２ｃには、固定部材４１が挿通される。各スリット２２ｄは、振動板１１から放射された音波を、第３部材２３の上面側へ通過させる働きを有する。
【００６３】
第３部材２３は、断面視すると略杯状の形状をなし、振動板１と第２部材２２との間に配置される。第３部材２３は、振動板１１側から各スリット２２ｄを通じて放射された音波を矢印Ｂ方向に従って、低音再生用のスピーカーユニット５０の放音方向と同方向に放射させる機能を有する。なお、図示において、矢印Ｂは、説明の便宜上、紙面右側にしか表記していない。しかし、実際には、高音再生用のスピーカーユニット５１の振動板１１から放射された音波は、複数のスリット２２ｄを通じて低音再生用のスピーカーユニット５０の放音方向と同方向に放射状に放射される。また、第３部材２３は複数の開口２３ａを有しており、各開口２３ａには固定部材４１が挿通される。
【００６４】
以上に述べた、第１部材２１と第２部材２２と第３部材２３とは、以下のようにして結合される。先ず、環状突起体２２ａとエッジ部１１ａとを当接させた状態で、第２部材２２と高音再生用のスピーカーユニット５１とを固定部材等により結合する。次に、その第２部材２２の各開口２２ｃに固定部材４１を挿通して、その固定部材４１と第１部材２１の各固定穴２１ｂとを係合する。これにより、その第２部材２２と第１部材２１とが結合され、第１部材２１と第２部材２２との間に高音再生用のスピーカーユニット５１が収容され固定される。次に、第３部材２３の各開口２３ａに固定部材４１を挿通して、その固定部材４１と、その結合された第１部材２１の各固定穴２１ｂとを係合する。これにより、図示のような状態で、第１部材２１と第２部材２２と第３部材２３とが結合される。
【００６５】
銘板４２は、高分子材料や金属材料などからなり、円板状の形状をなす。銘板４２には製品情報や会社情報などが印字されている。このため、銘板４２は、それらの情報をユーザに認知させたりする機能を有する。また、銘板４２は、フレーム５の凹部５ｅに貼着されて、スピーカー装置１００の背面側の見栄えなどを良くする役割も果す。
【００６６】
コイル８１は、図１に示すように、グリル２００の背面側であって、かつ、グリル２００の外周縁部と環状突起体２１ａの間に設けられる。また、グリル２００をフレーム５に取り付けた状態において、コイル８１は、図３の破線に示すように、第１の端子部３２ａ側の第１のフランジ部５ａの上方に位置する。コイル８１は、上記のように、中継配線７１を介して第２の端子部３２ｂ及び低音再生用のスピーカーユニット５０と直列に接続される。
【００６７】
コンデンサ８２は、図１には示されていないが、コイル８１と同様に、グリル２００の背面側であって、かつ、グリル２００の外周縁部と環状突起体２１ａの間に設けられる。また、グリル２００をフレーム５に取り付けた状態において、コンデンサ８２は、図３の破線に示すように、第２の端子部３２ｂ及び第３の端子部３２ｃ側の第１のフランジ部５ａの上方に位置する。コンデンサ８２は、上記のように、他方の中継配線７０ｂを介して第２の端子部３２ｂ及び高音再生用のスピーカーユニット５１と直列に接続される。
【００６８】
以上に述べたスピーカー装置１００では、低音再生用のスピーカーユニット５０、及び高音再生用のスピーカーユニット５１に、アンプ側から電気信号が入力されることにより、図示の放音側に音波が放射される。
【００６９】
具体的には、低音再生用のスピーカーユニット５０では、アンプ側から端子部３２及び中継配線７１等を介して錦糸線９に電気信号が入力されると、その電気信号はボイスコイル４へ供給される。これにより、磁気ギャップ３３内でボイスコイル４に駆動力が発生し、振動板１を低音再生用のスピーカーユニット５０の軸方向に振動させる。こうして、低音再生用のスピーカーユニット５０は図示の放音側に音波を放射する。一方、高音再生用のスピーカーユニット５１では、アンプ側から端子部３２を介して中継配線７０等に電気信号が入力されると、その電気信号はボイスコイル１４へ供給される。これにより、磁気ギャップ３４内でボイスコイル１４に駆動力が発生し、振動板１１を高音再生用のスピーカーユニット５１の軸方向に振動させる。そして、その振動板１１から放射された音波は、各スリット２２ｄを通過して第３部材２３の上面に反射し、矢印Ｂ方向へ誘導される。こうして、高音再生用のスピーカーユニット５１は、図示の放音側に音波を放射する。
【００７０】
[案内構造]
次に、図１乃至図５を参照して、フレーム５に設けられた案内構造５００について詳述する。図４（ａ）は、斜め下方向からの案内構造５００付近の斜視図を示している。図４（ｂ）は、図４（ａ）の矢印Ｃ方向から観察した案内構造５００の背面図を示している。
【００７１】
案内構造５００は、高音再生用のスピーカーユニット５１のボイスコイル１４側から引出された中継配線７０を端子部３２側に案内するするとともに、コイル８０の両端に接続された一対の中継配線７１を案内する機能を有している。案内構造５００は、第１のフランジ部５ａの内周縁部近傍から端子部３２にかけて形成されており、スリット部５ｇと、壁部５ｋとを有している。スリット部５ｇと壁部５ｋの間には空間５ｈが形成されている。
【００７２】
スリット部５ｇは、図２及び図４に示すように、１組のスリット壁５ｇａを有している。各スリット壁５ｇａは、互いに対向する位置に形成されており、各スリット壁５ｇａの間には間隙５ｇｂが形成されている。各スリット壁５ｇａは、中継配線７０を案内構造５００の上部から案内構造５００の下部にかけて当該スリット壁５ｇａに沿わせて案内する機能を有している。また、各スリット壁５ｇａは、中継配線７１を案内構造５００の下部（又は上部）から案内構造５００の上部（又は下部）にかけて当該スリット壁５ｇａに沿わせて案内する機能を有している。間隙５ｇｂは、中継配線７０及び７１の太さよりも多少太く形成されている。このため、間隙５ｇｂの裏側（内側）にて中継配線７０及び７１をスタイリングしてテンションをかけることにより中継配線７０及び７１を空間５ｈ内に留める働きを有している。これにより、スピーカー装置１００の駆動時に、振動により中継配線７０及び７１がスピーカー装置１００の外部に張り出したり等するのを防止することができる。
【００７３】
空間５ｈは、スリット部５ｇと壁部５ｋとの間に形成され、中継配線７０を案内構造５００の上部から案内構造５００の下部にかけて挿通させる働きを有する。また、空間５ｈは、中継配線７１を案内構造５００の下部（又は上部）から案内構造５００の上部（又は下部）にかけて挿通させる働きを有する。
【００７４】
壁部５ｋは、空間５ｈを挟んでスリット部５ｇと対向する位置、即ちスピーカー装置１００の中心軸側に形成され、スリット部５ｇと略等しい幅の矩形の壁である。また、壁部５ｋは、スピーカー装置１００の軸方向に起立するように形成される。
【００７５】
かかる構造を有する案内構造５００に中継配線７０及び７１を挿通させた状態が図４（ａ）及び（ｂ）に示される。なお、図中に示される一点鎖線は中継配線７０及び７１を示している。
【００７６】
以上、本発明の実施例に係る案内構造５００には、スピーカー装置１００の中心軸側にて起立するように壁部５ｋが形成されている。このため、案内構造５００において中継配線７０及び７１のスタイリングにばらつきが生じていたとしても、その中継配線７０及び７１はその壁部５ｋにより移動が規制され、その中継配線７０及び７１は壁部５ｋの位置からスピーカー装置１００の中心軸側に弛んだり、或いはふくらんだり等するようなことはない。よって、スピーカー装置１００の駆動時に、駆動に伴う振動による、中継配線７０及び７１と、低音再生用のスピーカーユニット５０の錦糸線９若しくは振動板１等との干渉（当たり）を効果的に防止できる。よって、スピーカー装置１００の製作時に、案内構造５００における中継配線７０及び７１の干渉防止のための特殊な処理などを省くことができる。なお、案内構造５００は、フレーム５の作製と同時に、そのフレーム５に形成することができる。このため、その案内構造５００の作製によりフレーム５などの製品コストが増加することはない。
【図面の簡単な説明】
【００７７】
【図１】本発明の実施例に係るスピーカー装置の構成を断面図として示す。
【図２】本実施例に係るフレームの側面図を示す。
【図３】本実施例に係るフレームの背面図を示す。
【図４】本実施例に係るフレームの案内構造付近の斜視図等を示す。
【図５】本実施例に係るスピーカー装置の電気回路の構成を模式的に示す。
【符号の説明】
【００７８】
５  フレーム
５ａ  第１のフランジ部
５ａｂ  貫通穴
５ａｃ  窪み部
５ａｄ  開口
５ｇ  スリット部
５ｇａ  スリット壁
５ｇｂ  間隙
５ｈ  空間
５ｋ  壁部
１４  ボイスコイル
３２  端子部
２１  第１部材
５０、５１  スピーカーユニット
１００  スピーカー装置
７０、７１  中継配線
２００  グリル
５００  案内構造
【図１】
2005277876.tif 000003
【図２】
2005277876.tif 000004
【図３】
2005277876.tif 000005
【図４】
2005277876.tif 000006
【図５】
2005277876.tif 000007